(57)【要約】      （修正有）【課題】コネクタジャックの外周形状に加工した板金でコネクタジャックを補強すると、同一基板に複数タイプのコネクタジャックを実装した場合、組立工程が増える上に実装面積が小さくなってしまう。【解決手段】電子機器は、ベース基板１３０、ベース基板に実装された第１のコネクタジャックと第２のコネクタジャック、コネクタジャックの外周を覆う形状を有するとともにベース基板への取付部１４５、第１のコネクタジャックの挿入口と同心の円形状の挿入部１４１、第２のコネクタジャックの挿入口が収納される切り欠き部とを有する保護部材１４０、ベース基板と保護部材のとを締結する締結部材１５０とを有し、切り欠き部は挿入部に第１のコネクタジャックの挿入口が挿入された状態で保護部材を回転させたときに第２のコネクタジャックの挿入口と干渉しないように収納される形状である。【選択図】図５
2012043701.tif 000002
【特許請求の範囲】
【請求項１】
ベース基板と、
前記ベース基板に実装された、挿入口がそれぞれ同一方向に開口する第１のコネクタジャックと第２のコネクタジャックと、
コネクタジャックの外周を覆う形状を有するとともに、前記ベース基板への取付部、前記第１のコネクタジャックの挿入口が挿入される前記第１のコネクタジャックの挿入口と同心の円形状の挿入部、前記第２のコネクタジャックの挿入口が収納される切り欠き部とを有する保護部材と、
前記ベース基板と前記保護部材の前記取付部とを締結する締結部材とを有し、
前記切り欠き部は、前記挿入部に前記第１のコネクタジャックの挿入口が挿入された状態で前記保護部材を回転させたときに、前記第２のコネクタジャックの挿入口と干渉しないように収納される形状であることを特徴とする電子機器。
【請求項２】
前記切り欠き部は、前記第２のコネクタジャックの挿入口と同心の半円状と第１のコネクタジャックの挿入口と同心の円弧状とを組み合わせた形状であることを特徴とする請求項１に記載の電子機器。
【請求項３】
前記保護部材は金属からなり、前記保護部材は前記ベース基板のグランド部に、前記締結部材によって締結されることを特徴とする請求項１又は２記載の電子機器。
【請求項４】
少なくとも第１のコネクタジャックと第２のコネクタジャックの外周を覆う形状を有するとともに、ベース基板への取付部、前記第１のコネクタジャックの挿入口が挿入される前記第１のコネクタジャックの挿入口と同心の円形状の挿入部、前記第２のコネクタジャックの挿入口が収納される切り欠き部とを有するを保護部材が前記コネクタジャックとは別にあり、
前記コネクタジャックを前記ベース基板に表面実装するステップと、
前記保護部材の挿入部と前記第１のコネクタジャックの挿入口とを嵌め合って回転させることによって前記ベース基板に表面実装された少なくとも前記第１のコネクタジャックと前記第２のコネクタジャックの外周を覆い、該ベース基板の取付部を前記ベース基板に固定するステップと、
を含むことを特徴とするコネクタジャックの取付方法。
【発明の詳細な説明】
【技術分野】
【０００１】
本発明は電子機器のコネクタジャックの取付構造、特に電子機器の基板に表面実装されるコネクタジャックを補強する構造とその取り付け方法に関するものである。
【背景技術】
【０００２】
従来、撮像装置などの電子機器において、コネクタジャックを基板の表面に半田付けする方法が採用されている。半田による取り付け方法は、他の取付方法に比べて取付工数等が少ない反面、基板のパターンの強度に依存し、プラグ挿入時に不用意にプラグを引っ張ったり押したりした場合、端子が基板から剥離したり端子自体が破損したりする可能性がある。
【０００３】
これに対して、特許文献１のような取り付け方法がある。特許文献１のでは、コネクタジャックの外周を覆う形状と基板への取付部を有する補強部材を備え、補強部材によって基板に表面実装されたコネクタジャックの外周を覆い、補強部材の取付部を基板に固定している。
【先行技術文献】
【特許文献】
【０００４】
【特許文献１】特登録４１１４１９５号公報
【発明の概要】
【発明が解決しようとする課題】
【０００５】
しかしながら、特許文献１の発明のように、コネクタジャックの外周形状に加工した板金（補強部材）でコネクタジャックを補強すると、同一基板に複数タイプのコネクタジャックを実装した場合、組立工程が増える上に実装面積が小さくなってしまい小型化に支障があるという問題点があった。
【課題を解決するための手段】
【０００６】
本発明の電子機器は、ベース基板と、前記ベース基板に実装された、挿入口がそれぞれ同一方向に開口する第１のコネクタジャックと第２のコネクタジャックと、コネクタジャックの外周を覆う形状を有するとともに、前記ベース基板への取付部、前記第１のコネクタジャックの挿入口が挿入される前記第１のコネクタジャックの挿入口と同心の円形状の挿入部、前記第２のコネクタジャックの挿入口が収納される切り欠き部とを有する保護部材と、前記ベース基板と前記保護部材の前記取付部とを締結する締結部材とを有し、前記切り欠き部は、前記挿入部に前記第１のコネクタジャックの挿入口が挿入された状態で前記保護部材を回転させたときに、前記第２のコネクタジャックの挿入口と干渉しないように収納される形状であることを特徴としている。
【発明の効果】
【０００７】
以上説明したように、本発明によれば、同一基板に複数タイプのコネクタジャックを実装した場合でも、組立て工程が増える上に、実装面積を確保できるために機器を小型化することができる。
【図面の簡単な説明】
【０００８】
【図１】本発明に係る電子機器としてのビデオカメラ１０１の斜視図である。
【図２】ビデオカメラ１０１の右側下方から見た分解斜視図である。
【図３】ベース基板１３０に保護部材１４０が取りつけられた状態を示す図である。
【図４】（ａ）ベース基板１３０の形状を説明するための図である。（ｂ）保護部材１４０の形状を説明するための図である。
【図５】保護部材１４０の組み込み方法を説明する図である。
【発明を実施するための形態】
【０００９】
図１と図２は電子機器としての一例であるビデオカメラ１０１（撮像装置）を説明する図である。図１（ａ）はビデオカメラ１０１の右側前方から見た斜視図であり、図１（ｂ）はビデオカメラ１０１を左側後方から見た斜視図である。なお、ビューファインダを覗き込む位置で構えていると想定する撮影者の上方向、下方向、左方向、右方向を、本案件における上方向、下方向、左方向、右方向と、規定する。
【００１０】
ビデオカメラ１０１は、撮像素子を有するカメラ本体部１０２と、このカメラ本体部１０２の前面に突出するように取り付けられた、光学系（レンズユニット１１４）を有するレンズ部１０４から構成されている。なお、本実施例においてはレンズ部１０４はカメラ本体部１０２と一体となっているが、レンズ部１０４がカメラ本体部１０２に対して交換可能な構成であってもよい。
【００１１】
カメラ本体部１０２の右側側面には、撮影者が把持するためのグリップ部１０５が、カメラ本体部１０２に一体に設けられている。グリップ部１０５にはベルト取付部に取り付けたグリップベルトが配置され、撮影者はグリップ部１０５とグリップベルトとの間に手を入れて、グリップ部１０５を把持する。また、ズームキー１０６やトリガーキー（不図示）が配置され、撮影者がグリップ部１０５を把持したまま撮影設定を指示することが可能となっている。スロットカバー１０７は、メモリカード用のスロットをカバーしており、スロットカバー１０７内のスロットにメモリカード（不図示）を装着することが可能である。
【００１２】
カメラ本体部１０２の上部には、レンズ部１０４の光軸方向である前後方向に延びる取手部１０３が一体に設けられている。取手部１０３は、カメラ本体部１０２の前側上部に立設された前脚部と、カメラ本体部１０２の後側上部に立設された後脚部と、前脚部と後脚部を連結する取手把持部から構成されている。後脚部の上部であって、取手把持部の後端部には、撮影者が接眼して被写体を確認する電子ビューファインダ１０８が回動可能に取り付けられている。電子ビューファインダ１０８にはアイカップが取り付けられ、図１に示す状態から上方に略７０度回動させることができる。また、取手部１０３の前方には、取手把持部に連続して形成される台座部が設けられている。台座部にはコネクタや操作部材が配置されている。
【００１３】
カメラ本体部１０２の左側側面には、表示部としての表示モニタ１０９が取り付けられており、表示モニタ１０９は２軸ヒンジによってカメラ本体部１０２に対して直交する２軸を中心として回動させることができる。カメラ本体部１０２の後側には、電源供給するためのバッテリ１１０がバッテリー部１１１に着脱可能に取り付けられている。また、バッテリ１１０の下側には、外部へ音声の出力を行うための第１のコネクタジャックであるヘッドホンコネクタ２１０と、映像信号を送受信する第２のコネクタジャックである映像出力端子２２０が少なくとも設けられている。このヘッドホンコネクタ２１０と映像出力端子２２０はともに挿入口が同一方向、本実施例の場合はビデオカメラ１０１の後方に両コネクタジャックの挿入口が開口するように配置されている。なお、カメラ本体部１０２の下側には、三脚取り付け部などを有するボトム部１１２を備えている。
【００１４】
図２はビデオカメラ１０１の右側下方から見た分解斜視図である。
【００１５】
ビデオカメラ１０１は、カメラ本体部１０２の内部では、メインフレーム１１５に対してレンズユニット１１４とメイン基板１２０が取り付けられていると言う構成になっている。このメイン基板１２０には、コネクタ１２１が実装されており、フレキシブルケーブル１２２により、バッテリー部１１１に取り付けられたベース基板１３０と電気的に接続されている。
【００１６】
図３、図４はビデオカメラ１０１のベース基板１３０に取り付けられたコネクタジャックと保護部材１４０の構造を説明する図である。図３（ａ）はベース基板１３０に保護部材１４０が取りつけられた状態を示す図、図３（ｄ）はベース基板１３０に保護部材１４０が取りつけられた状態を下方から見た図である。また、図４（ａ）はベース基板１３０の詳細を示す図であり、図４（ｂ）は保護部材１４０の詳細を示す図である。
【００１７】
図３（ａ）のように、ヘッドホンコネクタ２１０（第１のコネクタジャック）と映像出力端子２２０（第２のコネクタジャック）はそれぞれ略円形のプラグ挿入口２１１、２２１を有している。そして、プラグ挿入口２１１、２２１がそれぞれステンレスなどの金属製の保護部材１４０の穴や切り欠き部（後述する）から露出するようになっている。即ち、ヘッドホンコネクタ２１０と映像出力端子２２０は、それぞれ保護部材１４０によって外周が保護される。また、図３（ｂ）の通り、保護部材１４０は締結部材としての２本のビス１５０によってベース基板１３０に締結され、固定されている。これによって、金属製の保護部材１４０の穴や切り欠き部が、ヘッドホンコネクタ２１０と映像出力端子２２０の外周を囲み、保護部材１４０がベース基板１３０に固定される。また、保護部材１４０はヘッドホンコネクタ２１０および映像出力端子２２０のベース基板１３０への取付強度を補強することができる。
【００１８】
図４（ａ）は、ベース基板１３０の図である。ベース基板１３０にはヘッドホンコネクタ２１０と映像出力端子２２０が表面実装されている。また、ベース基板１３０にはコネクタ２４１が実装されており、フレキシブルケーブル１２２によりメイン基板１２０と電気的接続を行うことが可能となる。更に、ベース基板１３０は２つのグランド部１３５を有し、このグランド部１３５と保護部材１４０の固定部１４５とをそれぞれ接触した状態でビス１５０（締結部材）で固定することによって、グランド部１３５を補強することができる。
【００１９】
図４（ｂ）は、保護部材１４０の図である。保護部材１４０には、ヘッドホンコネクタ２１０のプラグ挿入口２１１を挿入するための円形状の挿入部１４１が設けられている。また、保護部材１４０に映像出力端子２２０のプラグ挿入口２２１を収納するための切り欠き部１４２が設けられている。ベース基板１３０に保護部材１４０を円形状の挿入部１４１の中心を軸として回転させて組み込む為、この切り欠き部１４２は、映像出力端子２２０に干渉しないようにベース基板１３０側が切り欠かれている形状になっている。この切り欠き部１４２の形状の詳細は、ベース基板１３０側（図４ｂの下側）は円形状の挿入部１４１の中心を軸とした円弧形状１４２ａとなっており、上側は略円形である映像出力端子２２０のプラグ挿入口２２１と同軸である円弧形状（半円状）１４２ｂとなっている。
【００２０】
図５はベース基板１３０と保護部材１４０との組み込み方法を説明する図である。図５（ａ）は保護部材１４０とベース基板１３０とを組み込む途中の状態を示しており、図５（ｂ）はベース基板１３０と保護部材１４０とが組み込み終わった状態を示したものである。
【００２１】
ベース基板１３０と保護部材１４０との組み込む際には、円形状の挿入部１４１にヘッドホンコネクタ２１０のプラグ挿入口２１１を挿入し、回転中心２１２を中心として図５（ａ）中の矢印Ａ方向に回転する。円形状の挿入部１４１とプラグ挿入口２１１は共に回転中心２１２を中心として同心円状となっているため、保護部材１４０は、円形状の挿入部１４１がプラグ挿入口２１１にガイドされることによって、回転中心２１２を中心として回転することができる。そして、プラグ挿入口２２１が切り欠き部１４２に収納されると、保護部材１４０の固定部１４５をベース基板１３０のグランド部１３５に当接させ、ビス１５０（締結部材）で締結して固定し、図５（ｂ）の状態となる。
【００２２】
ここで、保護部材１４０は回転中心２１２を中心として回転させて組み込むため、切り欠き部１４２は映像出力端子２２０に干渉しない形状である必要性がある。ここで、プラグ挿入口２２１の形状を詳しく述べる。図５（ｂ）のように保護部材１４０がベース基板１３０に固定される状態では、プラグ挿入口２２１のである軸２２２を通るベース基板１３０と平行な直線を境界として、ベース基板１３０側（下側、矢印Ｂ方向）と上側（矢印Ｃ方向）で異なった形状となっている。切り欠き部１４２の上側（矢印Ｃ方向）は、映像出力端子２２０のプラグ挿入口２２１と軸２２２を中心に同心の円弧状（半円状）である円弧形状１４２ｂとなっている。一方で、ベース基板１３０側（下側）は回転中心２１２を中心とした円弧形状１４２ａとなるように切り欠かれており、プラグ挿入口２２１と切り欠き部１４２とが接触しないようになっている。即ち、挿入部１４１とプラグ挿入口２１１、そしてプラグ挿入口２２１の円弧形状１４２ａは回転中心２１２を中心とした同心の円弧状である。
【００２３】
なお、本実施例においてはプラグが２つの場合を説明したが、３つ以上の場合も同様に成立する。例えば、ベース基板上に３つ以上のプラグを配置し、回転させて組み込むため際に用いるプラグ以外の保護部材１４０の挿入部の形状を、切り欠き部１４２と同様にすればよい。即ち、各切り欠き部は挿入穴の中心を軸として回転させて組み込む為、各プラグに干渉しないように、ベース基板１３０側の挿入穴側の部分が、挿入穴１４１の中心（回転中心２１２）を軸とした同心の円弧状となる形状に切り欠かれている。
【００２４】
以上説明したように本発明に係る電子機器のコネクタジャックの取付構造によれば、簡単な方法で、基板に表面実装される複数のコネクタジャックの外周を補強部材で覆い、この補強部材を基板に固定することができる。このため、一つの単純形状な補強部材で複数のコネクタジャックを補強することができ、プラグの抜き差しやコジリに対する強度を向上させることができる。
【符号の説明】
【００２５】
１０１  ビデオカメラ
１３０  ベース基板
１４０  保護部材
１５０  ビス
【図１】
2012043701.tif 000003
【図２】
2012043701.tif 000004
【図３】
2012043701.tif 000005
【図４】
2012043701.tif 000006
【図５】
2012043701.tif 000007